(57)【要約】【課題】打音の発生を容易に解消すると共に、ジャンプ縫い時におけるジャンプ縫い機構部内部の動作を単純にする。【解決手段】回転可能に配置されたミシン主軸と、前記ミシン主軸の回転運動を往復運動として伝達する第一の伝達手段と、一端に縫針が取り付けられると共に前記第一の伝達手段により前記往復運動を伝達されて往復運動可能な針棒と、前記針棒の前記往復運動を伝達する第二の伝達手段と、被縫製物を押さえるための布押さえ体が取り付けられると共に前記第二の伝達手段により前記往復運動を伝達されて往復運動可能な布押さえ体ガイド棒と、前記針棒を被縫製物から離間させて停止させた状態で前記被縫製物を所定量だけ移動させるジャンプ縫い時に、前記第一の伝達手段を停止させて前記針棒を停止させることにより前記布押さえ体ガイド棒を停止させるようにしたミシン用ジャンプ縫い機構部が提供される。【選択図】      図１
2004180854.tif 000002
【特許請求の範囲】
【請求項１】
回転可能に配置されたミシン主軸と、
前記ミシン主軸の回転運動を往復運動として伝達する第一の伝達手段と、
一端に縫針が取り付けられると共に前記第一の伝達手段により前記往復運動を伝達されて往復運動可能な針棒と、
前記針棒の前記往復運動を伝達する第二の伝達手段と、
被縫製物を押さえるための布押さえ体が取り付けられると共に前記第二の伝達手段により前記往復運動を伝達されて往復運動可能な布押さえ体ガイド棒と、
前記針棒を被縫製物から離間させて停止させた状態で前記被縫製物を所定量だけ移動させるジャンプ縫い時に、前記第一の伝達手段を停止させて前記針棒を停止させることにより前記布押さえ体ガイド棒を停止させるようにしたミシン用ジャンプ縫い機構部。
【発明の詳細な説明】
【０００１】
【発明の属する技術分野】
本発明は、ジャンプ縫い機構を備えたミシン、特に刺繍ミシンに関する。
【０００２】
【従来の技術】
図７は従来技術における刺繍ミシンの部分側面図である。図７に示されるように、刺繍ミシンのジャンプ縫い機構部１００は針棒２００を含んでいる。縫針２１０が取り付けられた針棒２００の先端はパッド１２０を通って支持ケース１９０の孔から突出している。針棒２００の中心付近には突起２３０を備えた針棒抱き２２０が設けられている。さらにジャンプ縫い機構部１００は針棒２００に対して平行に配置された昇降体ガイド棒４００も含んでおり、昇降体ガイド棒４００上には昇降体４１０が摺動可能に設けられている。昇降体４１０の側部には凹溝４２０が形成されており、針棒抱き２２０の突起２３０がこの凹溝４２０に係合している。昇降体４１０はクランク９３０、９４０によってミシン主軸９１０のカム９２０に連結されている。図７から分かるように、ミシン本体（図示しない）内のミシン主軸９１０に取り付けられたカム９２０が回転することにより、クランク９３０、９４０を通じて昇降体４１０が昇降運動する。従って、針棒２００は昇降体４１０に連動して昇降運動するようになる。さらに、図７に示されるように、布押さえ体８１０が針棒２００上に摺動可能に設けられており、バネ２９０が布押さえ体８１０と針棒抱き２２０との間に設けられている。前述した針棒２００の昇降運動時には布押さえ体８１０はこの昇降運動に連動して昇降する。
【０００３】
図７に示されるような従来技術のミシンのジャンプ縫い時においては、アクチュエータ（図示しない）によって昇降体４１０を昇降体ガイド棒４００回りに回転させる。これにより、針棒抱き２２０の突起２３０と昇降体４１０の凹溝４２０との間の係合が解除される。従って、昇降体４１０が昇降しつつ、針棒２００と布押さえ体８１０とが上死点で保持されることとなる。次いで、布送り部（図示しない）により被縫製物、例えば布（図示しない）を所定量だけ移動させる。
【０００４】
ところが、図７に示されるような従来技術のミシンにおいては、布押さえ体８１０が針棒２００上を摺動するので、針棒下降時には布押さえ体８１０の上端８２０が支持ケース１９０上のパッド１２０に衝突して打音が生じ、針棒上昇時には針棒２００の針止め２８０上のリング２７０が針押さえ体８１０の中間屈曲部８３０に衝突して打音が生ずる。
【０００５】
このような打音の問題を解決するために、布押さえ体を針棒とは別個の布押さえ体ガイド棒に備えるようにした刺繍ミシンのジャンプ縫い機構部が提案されている。図７に示すようにミシン主軸の回転運動から変換された往復運動が針棒に伝達されて針棒が昇降し、布押さえ体ガイド棒にもミシン主軸の回転運動から別途変換された往復運動が伝達されて昇降する。すなわち、この場合にはミシン主軸の回転運動は針棒の往復運動と布押さえ体ガイド棒の往復運動との両方に直接的に変換されている。さらに、このジャンプ縫い機構部はジャンプ縫い時に布押さえ体が昇降運動するのを妨げるためのクラッチ機構を備えている。このクラッチ機構はミシン主軸に基づく往復運動を布押さえ体ガイド棒に伝達すると共にこれを遮断する役目を果たしている。このジャンプ縫い機構部はジャンプ縫い時には昇降体によってミシン主軸と針棒との間の係合を解除すると共に、クラッチ機構を作動させることによりミシン主軸と布押さえ体ガイド棒との間の係合を解除している。すなわち、このジャンプ縫い機構部においては通常はクラッチ機構を不作動にすることによりミシン主軸に基づく往復運動を布押さえ用ガイド棒に伝達しているが、ジャンプ縫い時にはクラッチ機構を作動させることによりミシン主軸に基づくこの往復運動の伝達を遮断して布押さえ体を停止させている（例えば、特許文献１参照。）。
【特許文献１】
特許第２７５２４５３号公報
【０００６】
【発明が解決しようとする課題】
しかしながら、特許文献１に記載のジャンプ縫い機構部はジャンプ縫い時に針棒と布押さえ体との両方を停止させるために昇降体とクラッチ機構との両方が必要であり、しかもクラッチ機構の回動軸は昇降体の回転軸とは異なっている。従って、ジャンプ縫い機構部自体の構造が複雑になると共に、ジャンプ縫い時におけるジャンプ縫い機構部内部の動作が煩雑になりがちである。
【０００７】
本発明はこのような事情に鑑みてなされたものであり、ジャンプ縫い機構部自体の構造を複雑にすることなしに、およびジャンプ縫い時におけるジャンプ縫い機構部の内部動作が煩雑になることなしに、打音の発生を容易に解消することのできるミシン用ジャンプ縫い機構部を提供することを目的とする。
【０００８】
【課題を解決するための手段】
前述した目的を達成するために請求項１に記載の発明によれば、回転可能に配置されたミシン主軸と、前記ミシン主軸の回転運動を往復運動として伝達する第一の伝達手段と、一端に縫針が取り付けられると共に前記第一の伝達手段により前記往復運動を伝達されて往復運動可能な針棒と、前記針棒の前記往復運動を伝達する第二の伝達手段と、被縫製物を押さえるための布押さえ体が取り付けられると共に前記第二の伝達手段により前記往復運動を伝達されて往復運動可能な布押さえ体ガイド棒と、前記針棒を被縫製物から離間させて停止させた状態で前記被縫製物を所定量だけ移動させるジャンプ縫い時に、前記第一の伝達手段を停止させて前記針棒を停止させることにより前記布押さえ体ガイド棒を停止させるようにしたミシン用ジャンプ縫い機構部が提供される。
【０００９】
すなわち請求項１に記載の発明によって、布押さえ体を針棒とは別の棒状体上に設けているので打音の発生を容易に解消できると共に、針棒の往復運動が布押さえ体に伝達されることによって布押さえ体が往復運動するので、針棒が停止するジャンプ縫い時においては布押さえ体を自動的に停止させられる。これにより、ジャンプ縫い機構部自体の構造を複雑にするのを避けられると共にジャンプ縫い時におけるジャンプ縫い機構部内部の動作を極めて単純にすることができ、結果的にクラッチ機構を排除できる。
【００１０】
【発明の実施の形態】
以下、添付図面を参照して本発明の実施形態を説明する。以下の図面において同一の部材には同一の参照符号が付けられている。理解を容易にするために、これら図面は縮尺を適宜変更すると共に一部の部材を省略している。
図１は本発明に基づくミシン用ジャンプ縫い機構部の上死点位置に在るときの一側からみた部分側面図である。図１においてはミシン、例えば刺繍ミシンの一部が示されており、支持ケース１９がミシンの上方ケーシング１２に設けられたフレーム１８上に水平方向に摺動可能に設けられている。支持ケース１９内には複数の針棒２０が配置されており、支持ケース１９をフレーム１８に沿って移動させることによって、特定の針棒２０を選択的に駆動することができる。
【００１１】
図１に示されるように、ミシン、例えば刺繍ミシンのジャンプ縫い機構部１０は先端に縫針２１が取り付けられた針棒２０を含んでいる。針棒２０の中心付近には突起２３を備えた針棒抱き２２が設けられている。さらにジャンプ縫い機構部１０は針棒２０に対して平行に配置された昇降体ガイド棒４０も含んでおり、昇降体４１が昇降体ガイド棒４０上に摺動可能に設けられている。昇降体４１の側部には凹溝４２が形成されており、針棒抱き２２の突起２３がこの凹溝４２に係合している。さらに、バネ２９が支持ケース１９の下部と針棒抱き２２との間に設けられている。昇降体４１はクランク９３、９４によってミシン主軸９１のカム９２に連結されている。図１から分かるように、ミシン本体（図示しない）内のミシン主軸９１に取り付けられたカム９２が回転することにより、クランク９３、９４によって昇降体４１が昇降運動する。従って、針棒２０は昇降体４１に連動して昇降運動するようになる。
【００１２】
図１に示されるように昇降体４１の上方においては布押さえ駆動部６０が昇降体ガイド棒４０上に摺動可能に取り付けられている。さらに、針棒２０においては突起２５を備えた押さえ駒２４が針棒抱き２２の上方に固定されている。図２は本発明に基づくジャンプ縫い機構部の部分頂面図である。さらに、図３は図２の線Ａ−Ａに沿ってみた部分断面図である。図２から分かるように、本発明における布押さえ駆動部６０は水平面が略Ｌ字形状になっており、前述した昇降体ガイド棒４０は布押さえ駆動部６０の一部分に取り付けられている。さらに、布押さえ駆動部６０の一端６１には水平方向凹溝６５が形成されており、押さえ駒２４の突起２５が水平方向凹溝６５内に部分的に進入している。特に図１および図３より分かるように、押さえ駒２４の突起２５は上方および下方において水平方向凹溝６５の内壁に接触している。すなわち突起２５は水平方向凹溝６５によって上方および下方の両方から把持されている。ミシン内部において他の部材に干渉することなしに摺動可能にするために、図２における布押さえ駆動部６０の水平面は略Ｌ字形状になっているが、布押さえ駆動部６０は他の部材に干渉することのない別の形状であってもよい。
【００１３】
図２および図３に示されるように、布押さえ駆動部６０の他端６２付近は押さえ軸５０に摺動可能に取り付けられている。図２および図３においては昇降体ガイド棒４０と押さえ軸５０とは互いに平行に配置されている。図３に示される布押さえ駆動部６０は押さえ軸５０上において下方に延びる延長部６４を備えている。さらに押さえ軸５０にはバネ５１が布押さえ駆動部６０の延長部６４と下方ケーシング１１との間に設けられている。
【００１４】
図４は図２の線Ｂ−Ｂに沿ってみた部分断面図である。図４に示されるように、布押さえ駆動部６０の延長部６４には押さえリンク５５の一端が回動可能に連結されており、押さえリンク５５の他端は別の押さえリンク５６の一端に連結されている。さらに、この押さえリンク５６の他端は下方ケーシング１１の支持部１３に軸部５８回りに回動可能に連結されている。再び図２を参照すると、押さえリンク５６が連結される支持部１３の側部とは反対側の側部でかつ下方ケーシング１１の外方には、駆動レバー７０が設置されている。
【００１５】
図５は本発明に基づくミシン用ジャンプ縫い機構部の上死点位置に在るときの他側からみた部分側面図である。図５に示されるように、軸部５８には略扇形の板カム５９が回動可能に取り付けられている。また、駆動レバー７０は略Ｓ字形状の部材であり、駆動レバー７０の中心付近にはローラ７３が回転可能に取り付けられている。板カム５９の円弧部はローラ７３に係合している。さらに駆動レバー７０の一端７１はケーシングの壁部に回動可能に取り付けられていて、他端７２はリンク７５の一端に連結されている。
【００１６】
図６は支持ケースを除いてみた本発明に基づくジャンプ縫い機構部の部分正面図である。図５および図６に示されるように布押さえ体ガイド棒８０は押さえ軸５０および昇降体ガイド棒４０に対して平行に配置されている。この布押さえ体ガイド棒８０は上方において支持部１５によって摺動可能に支持されている。さらに、図５および図６から分かるように、下方ケーシング１１に形成された孔から突出する布押さえ体ガイド棒８０の先端には布押さえ体８１が取り付けられている。前述したリンク７５の他端は布押さえ体ガイド棒８０の中心付近に設けられた固定部８５に回動可能に取り付けられている。
【００１７】
ミシンの通常の縫いの際には、図１に示されるミシン主軸９１の回転運動がカム９２およびクランク９３、９４によって往復運動に変換されつつ昇降体４１に伝達される。前述したように昇降体４１の凹溝４２と針棒抱き２２の突起２３とが係合しているので、昇降体４１が昇降体ガイド棒４０上を往復運動することによって針棒２０もこれに連動して同様に昇降運動する。
【００１８】
さらに、図１および図３から分かるように針棒２０に固定された押さえ駒２４の突起２５が押さえ駆動部６０の水平方向凹溝６５によって把持されているので、押さえ駆動部６０も針棒２０の昇降運動に連動して昇降する。特に押さえ軸５０において押さえ駆動部６０の延長部６４と下方ケーシング１１との間にはバネ５１が設けられているので、針棒２０の上昇時には押さえ駆動部６０はバネ５１により押し上げられる。図１および図３に示すように押さえ駒２４の突起２５と押さえ駆動部６０の水平方向凹溝６５との間の係合作用は上方および下方の両方から行うのが好ましく、これにより押さえ駆動部６０の昇降運動の上死点および下死点の両方において押さえ駆動部６０が突起２５から離脱するのを避けることができる。また、押さえ駆動部６０および押さえ駒２４の両方は樹脂製であるのが好ましく、それにより、押さえ駆動部６０と押さえ駒２４との間の係合作用を確実に行うことができる。
【００１９】
次いで図２および図４から分かるように、押さえ駆動部６０の昇降運動がリンク５５、５６によって回転運動に変換されて軸部５８に伝達される。次いで図５に示すように、軸部５８が回転することによって板カム５９が軸部５８回りに回動する。前述した板カム５９の円弧部と駆動レバー７０のローラ７３とが係合しているので、駆動レバー７０は駆動レバー７０の一端７１回りに回動する。駆動レバー７０が回動することによって布押さえ体ガイド棒８０はリンク７５を介して昇降運動する。これにより、布押さえ体ガイド棒８０の先端に取り付けられた布押さえ体８１も同様に昇降運動する。
【００２０】
従って、本発明に基づくジャンプ縫い機構部１０の通常の縫いの動作時においては、ミシン主軸９１の回転運動によって針棒２０を昇降運動させ、次いで、針棒２０の昇降運動すなわち往復運動をリンク５５、５６と軸部５８および板カム５９と駆動レバー７０によって布押さえ体ガイド棒８０に伝達している。すなわち本発明においては針棒２０の昇降運動が布押さえ体ガイド棒８０に伝達されることによって布押さえ体ガイド棒８０および布押さえ体８１は昇降可能となる。また、本発明においては布押さえ体８１を針棒２０とは別個の布押さえ体ガイド棒８０に設けたため、布押さえ体８１と針棒２０上の別の部材、例えばパッドまたはリングとの間に打音が生じるのを容易に解消することができる。
【００２１】
ジャンプ縫い時においては、アクチュエータ（図示しない）によって昇降体４１を昇降体ガイド棒４０回りに回転させる。図３および図６から分かるように、昇降体４１の回転によって、針棒抱き２２の突起２３と昇降体４１の凹溝４２との間の係合が解除される。これにより針棒２０はバネ２９（図１を参照されたい）によって上死点までジャンプし、この位置において保持される。従って、針棒２０はジャンプ縫い時に停止する。針棒２０が停止するために針棒２０の往復運動が伝達されなくなるので、押さえ駆動部６０の押さえ軸５０上における昇降運動も停止する。このときバネ５１によって押さえ駆動部６０は昇降体４１よりも上方において保持される。結果的にリンク５５、５６および駆動レバー７０も停止するので、布押さえ体ガイド棒８０も自動的に停止するようになる。すなわち本発明においては昇降体４１を備えた昇降体ガイド棒４０をジャンプ縫い時に単に回転させることによって、ミシン主軸９１と針棒２０との間における往復運動の伝達を停止させ、これにより、布押さえ体を自動的に停止させている。
【００２２】
また、ミシン主軸９１は回転し続けているので、昇降体４１はジャンプ縫い時においても昇降運動を続けている。昇降体４１を回転させた後において、布送り部（図示しない）により被縫製物、例えば布（図示しない）を所定量だけ移動させ、ジャンプ縫いを行う。
【００２３】
前述したように布押さえ体ガイド棒８０は針棒２０の昇降運動が伝達されることによって昇降するので、本発明に基づくジャンプ縫い機構部１０のジャンプ縫い時においては針棒２０を停止させることにより、布押さえ体ガイド棒８０を自動的に停止させている。前述した特許文献１に記載のジャンプ縫い機構部においては昇降体を回転させることによって針棒を停止させると共にクラッチ機構を作動させることによって布押さえ体を停止させているが、本発明においては昇降体を単に回転させることによって針棒２０と布押さえ体８１との両方を停止させることができる。従って、本発明のジャンプ縫い機構部１０においては、ジャンプ縫い機構部自体の構造を複雑にするのを避けられると共にジャンプ縫い時におけるジャンプ縫い機構部内部の動作を単純にすることができる。当然のことながら、押さえ駆動部６０と押さえ駒２４との間に他の係合作用、例えばネジ留め、接着などを採用できるのは明らかである。
【００２４】
【発明の効果】
請求項１に記載の発明によれば、打音の発生を容易に解消できると共に、ジャンプ縫い機構部自体の構造を複雑にするのを避けされ、ジャンプ縫い時におけるジャンプ縫い機構部内部の動作を単純にすることができるという効果を奏しうる。
【図面の簡単な説明】
【図１】本発明に基づくミシン用ジャンプ縫い機構部の上死点位置に在るときの一側からみた部分側面図である。
【図２】図２は本発明に基づくジャンプ縫い機構部の部分頂面図である。
【図３】図２の線Ａ−Ａに沿ってみた部分断面図である。
【図４】図２の線Ｂ−Ｂに沿ってみた部分断面図である。
【図５】本発明に基づくミシン用ジャンプ縫い機構部の上死点位置に在るときの他側からみた部分側面図である。
【図６】支持ケースを除いてみた本発明に基づくジャンプ縫い機構部の部分正面図である。
【図７】従来技術における刺繍ミシンのミシンヘッドの部分側面図である。
【符号の説明】
１０…ジャンプ縫い機構部
１１…下方ケーシング
１２…上方ケーシング
１３…支持部
１５…支持部
１８…フレーム
１９…支持ケース
２０…針棒
２１…縫針
２２…針棒抱き
２３…突起
２４…押さえ駒
２５…突起
２９…バネ
４０…昇降体ガイド棒
４１…昇降体
４２…凹溝
５０…押さえ軸
５１…バネ
５５…リンク
５６…リンク
５８…軸部
５９…板カム
６０…押さえ駆動部
６４…延長部
６５…水平方向凹溝
７０…駆動レバー
７３…ローラ
７５…リンク
８０…布押さえ体ガイド棒
８１…布押さえ体
８５…固定部
９１…ミシン主軸
９２…カム
９３…クランク
【図１】
2004180854.tif 000003
【図２】
2004180854.tif 000004
【図３】
2004180854.tif 000005
【図４】
2004180854.tif 000006
【図５】
2004180854.tif 000007
【図６】
2004180854.tif 000008
【図７】
2004180854.tif 000009